(57)【要約】    【課題】  納骨室に安置されているお骨にカビが生え易くなるのを防止し、納骨穴内に安置された仏像に太陽光を照射させることができ、良好な耐震性も備えた、採光可能な耐震式墓石を提供することである。    【解決手段】  竿石（１２）の頂部のほぼ中央から上台（１４）を経て中台（１６）に設けられた納骨穴（１８）に至る採光用の貫通穴（２０）を備えていることを特徴とする墓石（１０）。貫通穴（２０）には好ましくは、パイプ（２２）が嵌め込まれている。また、好ましくは、貫通穴の上端に、集光用のレンズ（２４）が設置されている。貫通穴に、クリスタルで形成された柱体を嵌め込んでもよい。パイプ又は柱体の外面をミラー仕上げにするのが好ましい。【選択図】  図１
2006002557.tif 000002
【特許請求の範囲】
【請求項１】
採光可能な耐震式墓石であって、
竿石の頂部から中台に設けられた納骨穴に至る採光用の貫通穴を備えていることを特徴とする墓石。
【請求項２】
採光可能な耐震式墓石であって、
中台の頂部から納骨穴に至る採光用の貫通穴を備えていることを特徴とする墓石。
【請求項３】
前記貫通穴にパイプが嵌め込まれていることを特徴とする請求項１又は２に記載の墓石。
【請求項４】
前記パイプの外面にアルミ箔が貼られ、或いはパイプの外面にミラー仕上げが施されていることを特徴とする請求項３に記載の墓石。
【請求項５】
前記貫通穴の上端に、集光用のレンズが設置されていることを特徴とする請求項１から４までのいずれか１項に記載の墓石。
【請求項６】
前記貫通穴に、クリスタルで形成された柱体が嵌め込まれていることを特徴とする請求項１又は２に記載の墓石。
【請求項７】
前記柱体の外面にアルミ箔が貼られ、或いは柱体の外面にミラー仕上げが施されていることを特徴とする請求項６に記載の墓石。
【発明の詳細な説明】
【技術分野】
【０００１】
本発明は、採光可能な耐震式墓石に関する。
【背景技術】
【０００２】
墓石は典型的には、上から順に、竿石（又は、棹石）、上台、中台、及び下台によって形成されており（竿石と上台との間に蓮華台を設置する場合もある）、下台の内部に設けられた納骨室にお骨を安置するようになっている。
【発明の開示】
【発明が解決しようとする課題】
【０００３】
しかしながら、お骨が安置される納骨室は、周囲が石で囲まれた密閉空間であるため、湿度の多い季節や地域では、ジメジメして湿気が多くなり、お骨にカビが生え易い等の弊害があった。
【０００４】
したがって、本発明は、納骨室に安置されているお骨にカビが生え易くなるのを防止し、納骨穴内に安置された仏像に太陽光を照射させることができ、良好な耐震性も備えた、採光可能な耐震式墓石を提供することを目的とする。
【課題を解決するための手段】
【０００５】
本願請求項１に記載の採光可能な耐震式墓石は、竿石の頂部から中台に設けられた納骨穴に至る採光用の貫通穴を備えていることを特徴とするものである。
【０００６】
本願請求項２に記載の採光可能な耐震式墓石は、前記請求項１の墓石において、中台の頂部から納骨穴に至る採光用の貫通穴を備えていることを特徴とするものである。
【０００７】
本願請求項３に記載の採光可能な耐震式墓石は、前記請求項１又は２の墓石において、前記貫通穴にパイプが嵌め込まれていることを特徴とするものである。
【０００８】
本願請求項４に記載の採光可能な耐震式墓石は、前記請求項３の墓石において、前記パイプの外面にアルミ箔が貼られ、或いはパイプの外面にミラー仕上げが施されていることを特徴とするものである。
【０００９】
本願請求項５に記載の採光可能な耐震式墓石は、前記請求項１から４までのいずれか１項の墓石において、前記貫通穴の上端に、集光用のレンズが設置されていることを特徴とするものである。
【００１０】
本願請求項６に記載の採光可能な耐震式墓石は、前記請求項１又は２の墓石において、前記貫通穴に、クリスタルで形成された柱体が嵌め込まれていることを特徴とするものである。
【００１１】
本願請求項７に記載の採光可能な耐震式墓石は、前記請求項６の墓石において、前記柱体の外面にアルミ箔が貼られ、或いは柱体の外面にミラー仕上げが施されていることを特徴とするものである。
【発明の効果】
【００１２】
本発明の墓石では、お骨が安置されている納骨室に至る採光用の通路が設けられているので、お骨にカビなどが生え易くなるのを防止することができる。また、納骨穴内に安置された仏像に太陽光を照射させることができる。さらに、採光用の貫通穴に、パイプやクリスタルの柱体を嵌め込むことにより、墓石の各要素を連結する芯となり、墓石の耐震性を向上させることができる。
【発明を実施するための最良の形態】
【００１３】
次に、図面を参照して、本発明の好ましい実施の形態に係る採光可能な耐震式墓石について詳細に説明する。図１は、本発明の第１の実施の形態に係る墓石を概略的に示した斜視図である。図１において全体として参照符号１０で示される本発明の第１の実施の形態に係る墓石は、竿石１２の頂部のほぼ中央から、上台１４を経て、中台１６に設けられた納骨穴１８に至る、実質的に垂直方向に延びた円形横断面の貫通穴２０を備えている。
【００１４】
貫通穴２０内には、図３に示されるように、円筒形のパイプ２２が嵌め込まれている。パイプ２２は好ましくは、竿石１２の頂部から納骨穴１８の上端まで延びている。パイプ２２は、塩化ビニル樹脂や金属などの任意の適当な材料で形成されている。
【００１５】
貫通穴２０の上端（即ち、パイプ２２の上端）には好ましくは、貫通穴２０内に外光を取り入れ易くするように、集光用のレンズ２４が設置されている（図４参照）。
【００１６】
以上のように構成された墓石１０では、貫通穴２０の上端から入射した外光が、納骨穴１８を介して、下台２６の内部に設けられた納骨室２８に届くようになっている。これにより、納骨室２８に安置されているお骨に外光が投射されるので、湿気が軽減され、お骨にカビなどが生え易くなるのが防止されるとともに、納骨穴内に安置された仏像に太陽光を照射させることができる。
【００１７】
図８（ａ）は、納骨穴内に安置された仏像に、貫通穴２０の上端から入射した外光が照射されている状態を概略的に示した図である。納骨穴は通常は、図８（ｂ）に示されるように、前面に香炉を置くことによって塞がれているが、香炉の引き戸を開けたり、香炉を脇に移動させたりすることによって、納骨穴内の仏像を見ることができる。
【００１８】
図５は、本発明の第２の実施の形態に係る墓石を概略的に示した斜視図である。図５に示される第２の実施の形態に係る墓石３０は、貫通穴４０が中台３６の頂部から納骨穴３８まで設けられている点を除いて、墓石１０と実質的に同一の構成を有している。なお、図５及び図６において、参照符号３２、３４、４２、４６、４８はそれぞれ、竿石、上台、パイプ、下台、納骨室を表している。
【００１９】
本発明は、以上の発明の実施の形態に限定されることなく、特許請求の範囲に記載された発明の範囲内で、種々の変更が可能であり、それらも本発明の範囲内に包含されるものであることはいうまでもない。
【００２０】
例えば、前記実施の形態において、貫通穴２０、４０にパイプ２２、４２が嵌め込まれているが、パイプ２２、４２を省略してもよい。また、貫通穴２０、４０の経路の全て又は経路の一部に、クリスタルで形成された柱体（図示せず）を嵌め込んでもよい。クリスタルで形成された柱体を嵌め込むことにより、採光性の向上がより期待されるとともに、墓石の芯としての効果にも役立つ。
【００２１】
また、前記実施の形態では、竿石、上台、中台、及び下台を備えた墓石に関連して説明されているが、他の型式の墓石（例えば、蓮華台を備えた墓石、上台が省略された墓石など）にも適用することができる。また、前記第２の実施の形態では、３個の貫通穴４０が設けられているが、貫通穴４０の設置数は、これに限定されるものではない。さらに、貫通穴２０、４０が円形横断面を有するものとして示されているが、貫通穴の横断面を他の形態（例えば、多角形、楕円形など）にしてもよい。
【００２２】
さらに、貫通穴２０の上端から入射した外光が納骨室２８に届き易いように、パイプ２２やクリスタルの柱体の外面にアルミ箔２２ａを貼ったり、外面にミラー仕上げを施したりすることによって、パイプ２０内で光が反射し易いようにするのが好ましい。図７（ｂ）は、外面にアルミ箔２２ａが貼られているパイプを示した図、図７（ｃ）は、パイプ２２内に入った光が外面で反射して納骨室２８に進んでいく状態を模式的に示した図である。
【図面の簡単な説明】
【００２３】
【図１】本発明の第１の実施の形態に係る墓石を概略的に示した斜視図である。
【図２】図１の墓石の正面図である。
【図３】図２の線３−３に沿って見た断面図である。
【図４】図２の線４−４に沿って見た断面図である。
【図５】本発明の第２の実施の形態に係る墓石を概略的に示した斜視図である。
【図６】図５の墓石の平面図である。
【図７】パイプの外面をミラー仕上げにした変形例を示した図である。
【図８】納骨穴内に安置されている仏像に太陽光が照射される状態を概略的に示した図である。
【符号の説明】
【００２４】
１０、３０  墓石
１２、３２  竿石
１４、３４  上台
１６、３６  中台
１８、３８  納骨穴
２０、４０  貫通穴
２２、４２  バイプ
２４  集光用のレンズ
２６、４６  下台
２８、４８  納骨室
【図１】
2006002557.tif 000003
【図２】
2006002557.tif 000004
【図３】
2006002557.tif 000005
【図４】
2006002557.tif 000006
【図５】
2006002557.tif 000007
【図６】
2006002557.tif 000008
【図７】
2006002557.tif 000009
【図８】
2006002557.tif 000010